(57)【要約】【課題】ヒール芯を覆っている外革に、削れ、剥がれ等が生じても、ヒール芯の地肌露出部分が目立たず、外観品位が大きく損なわれることのないパンプスを提供すること。【解決手段】パンプス１のヒール４の外革１２に破れ、削れ、剥がれ等が生じると、内側のヒール芯１１の地肌１１ａが露出する。ヒール芯１１は黒色に染められており、外革１２の色と同一である。ヒール芯１１の地肌１１ａが外部に露出しても、際立って目立つことがなく、パンプス１の外観品位の低下を抑制できる。【選択図】図１
2020171606.tif 000002
【特許請求の範囲】
【請求項１】
ヒール外装材によってヒール芯の外周面が覆われているヒールを備えており、
前記ヒール芯は、少なくともその外周面に所定の色を付けた色付きヒール芯であり、
前記色付きヒール芯の前記色は、前記ヒール外装材の外周面の色と同一であるヒール付きの靴。
【請求項２】
前記色付きヒール芯は、染色された合成樹脂製ヒール芯である請求項１に記載のヒール付きの靴。
【請求項３】
前記ヒール外装材は皮革である請求項１に記載のヒール付きの靴。
【請求項４】
前記色付きヒール芯は、合成樹脂製の黒染めヒール芯であり、
前記ヒール外装材は、黒染め皮革である請求項１に記載のヒール付きの靴。
【請求項５】
外革で覆われている合成樹脂製のヒール芯の色が前記外革の色と同一であるパンプスのヒール。
【請求項６】
請求項５に記載のヒールを備えたパンプス。
【発明の詳細な説明】
【技術分野】
【０００１】
本発明は、ヒール付きの靴に関し、更に詳しくは、ハイヒールパンプス、ミドルヒールパンプス等におけるヒールに関する。
【背景技術】
【０００２】
パンプス等のヒール付きの靴の靴底に取り付けられるヒールとしては、ヒール芯を皮革などの外装材で覆った構造のものが知られている。例えば、特許文献１に記載のヒールベースは、革製のヒール外装板と、このヒール外装板で包囲された硬質樹脂製のヒール芯から構成されている。特許文献２に記載のヒールは、ヒール芯の外周面にヒール外装片を接着剤で貼り付けた構成とされている。
【０００３】
パンプス等においては、その装飾性、高級感などを高めるために、ヒールにも装飾が施される場合がある。例えば、特許文献３においては、ヒール外周面に立体状の凹凸模様を付して高級感等を高めるようにしている。
【先行技術文献】
【特許文献】
【０００４】
【特許文献１】特開昭６１−１６７０３号公報
【特許文献２】特公平１−５７５６３号公報
【特許文献３】特開２００７−１４５８９号公報
【発明の概要】
【発明が解決しようとする課題】
【０００５】
ここで、ヒールの部分は歩行中等において石その他の物に当たり傷が付きやすい。革張り等のヒールにおいては、ヒール外装材の一部が削れ、あるいは剥がれて、内側のヒール芯の地肌が露出することがある。ヒール芯の地肌が僅かに露出しただけでも、その部分が目立つので、靴の外観品位が大きく損なわれる。
【０００６】
本発明の目的は、この点に鑑みて、ヒール外装材に削れ、剥がれ等が生じても、ヒール芯の地肌露出部分が目立たず、外観品位が大きく損なわれることのないようにしたヒールを提供することにある。また、当該ヒールを備えたパンプス等のヒール付きの靴を提供することにある。
【課題を解決するための手段】
【０００７】
上記の課題を解決するために、本発明のヒール付きの靴において、そのヒールは、ヒール外装材によってヒール芯の外周面が覆われており、ヒール芯は、少なくともその外周表面に所定の色を付けた色付きヒール芯であり、この色付きヒール芯の色は、ヒール外装材の外周面の色と同一であることを特徴としている。
【０００８】
ヒールのヒール外装材の一部に削れ、剥がれ等が生じて、ヒール芯の地肌（外周面）の一部が露出することがある。ヒール芯の地肌の色はヒール外装材の外周面と同一色であるので、地肌露出部分がヒール外装材に対して際立って目立つことがない。よって、ヒールの外観品位、さらにはヒール付きの靴の外観品位の低下を抑制できる。
【０００９】
例えば、ヒール芯として染色された合成樹脂製ヒール芯を用いることができる。合成樹脂のヒール芯本体に金属製の補強材等をインサートした複合構造であってもよいし、木質材、セラミックス等の合成樹脂以外の素材からヒール芯を製造してもよい。また、ヒール外装材として、皮革（本革、合成皮革）を用いることができる。ヒール外装材も、合成樹脂素材等の他の素材を用いることができる。
【００１０】
ここで、本発明では、ヒール芯材の外周面の色（地肌の色）とヒール外装材の外周面の色とを同一色としている。本発明における「同一色」は、完全に同一である場合を含むことは勿論であるが、実質的に同一の色同士も含む広い意味で使用している。例えば、色相環で隣り合う色同士、同一色の色調を僅かに変えた色同士などのように、実質的に同一色と見做すことのできる同系色の色同士も含まれる。
【図面の簡単な説明】
【００１１】
【図１】本発明を適用したパンフスの一例を示す斜視図、およびそのヒールの部分を示す説明図である。
【発明を実施するための形態】
【００１２】
以下に、図面を参照して、本発明を適用した実施の形態を説明する。なお、以下の説明は、本発明を実施の形態に限定されることを意図したものではない。
【００１３】
図１（ａ）は実施の形態に係るヒール付きの靴であるパンプスの一例を示す斜視図であり、そのヒールの表面の一部を拡大して示してある。図１（ｂ）はヒールの部分を示す説明図である。図１（ａ）に示すように、パンプス１は、アッパー２、アウトソール３、アウトソール３の踵部分の底面中心に取り付けたヒール４、および、ヒール４の先に固定した耐摩耗性の高い合成樹脂素材からなるリフト５から構成されている。
【００１４】
例えば、アッパー２は撥水加工を施し雨や汚れに対応できるようにした皮革素材からなる。アウトソール３は靴の返りが良く軽やかに歩けるように柔軟性のある合成ラバー素材からなり、その靴底面には濡れた床や滑りやすい床でも滑りにくいように滑り止め加工が施される。アッパー２の内側面には柔軟性のある皮革素材からなるレザーライニング等が施され、足にフィットしやすく、通気性も確保される。
【００１５】
図１（ｂ）に示すように、ヒール４は、ヒール芯１１と、このヒール芯１１の外周面を覆い隠している外革１２（ヒール外装材）とから構成されている。ヒール芯１１は合成樹脂、例えばＡＢＳ樹脂の成型品である。
【００１６】
ここで、外革１２で覆われているヒール芯１１の色は外革１２の外周面の色と同一にしてある。例えば、パンプス１のアッパー２が黒色等の濃色アッパーの場合には、ヒール芯１１は、染色された黒染めヒール芯とされ、外革１２も黒染めの皮革とされる。
【００１７】
ヒール４の外革１２に、破れ、削れ、剥がれ等が生じると、外革１２の欠如部分１２ｂから、内側のヒール芯１１の地肌１１ａ（外周面）が露出する。ヒール芯１１の地肌１１ａの色は黒色であり、外革１２の外周面１２ａの色と同一である。したがって、ヒール芯１１の地肌１１ａが外部に露出しても、目立つことがなく、外観品位の低下を抑制できる。
【００１８】
なお、アッパー２が赤色その他の有彩色の場合には、これに合わせて、ヒール４の外革１２も同一の有彩色に染色し、内側のヒール芯１１も地肌１１ａの色が同一の有彩色となるように染色する。これにより、外革１２の破れ、剥がれ等によるヒール芯１１の地肌１１ａの露出に起因する外観品位の低下を抑制できる。
【符号の説明】
【００１９】
１  パンプス
２  アッパー
３  アウトソール
４  ヒール
５  リフト
１１  ヒール芯
１１ａ  地肌（外周面）
１２  外革（ヒール外装材）
１２ａ  外周面
１２ｂ  欠如部分
【図１】
2020171606.tif 000003